(57)【要約】【課題】平坦な壁面を補修する通常の補修剤注入器具の前部に装着することで、コーナー部分に生じた亀裂に対処できるようにした補修剤注入用アタッチメントを提供する。【解決手段】複数の壁面２、３の交差部に生じた亀裂５の中に補修剤を注入するために、補修剤注入器具Ｂの前部に装着される補修剤注入用アタッチメントＡであって、交差部に対応した形状をなす前面部３１に、各壁面にそれぞれ対向する複数の係合面３３、３４を形成し、補修剤注入器具Ｂに接合される後面部３２に、補修剤注入器具の前面位置部の注入孔に液密的に接続される接続口を設け、その接続口から前面部に向けて連通孔を形成し、その連通孔の先端を、係合面３３、３４の交差する稜線部３５に、亀裂に対する補修剤の注入口３７ａとして開口させた。【選択図】図１
2005200878.tif 000002
【特許請求の範囲】
【請求項１】
建築物における複数の壁面の交差部に生じた亀裂の中に補修剤を注入するために、補修剤注入器具に装着される補修剤注入用アタッチメントであって、
前記交差部に対応した形状をなす前面部に、前記複数の壁面にそれぞれ対向する複数の係合面を形成し、前記補修剤注入器具に接合される後面部に、補修剤注入器具の前面位置部の注入孔に液密的に接続される接続口を設け、その接続口から前記前面部に向けて連通孔を形成し、その連通孔の先端を、前記係合面の交差する部分に、前記亀裂に対する補修剤の注入口として開口させたことを特徴とする補修剤注入用アタッチメント。
【請求項２】
請求項１に記載の補修剤注入用アタッチメントにおいて、
前記係合面が互いに略直交する関係で２面設けられており、その２つの係合面の交差する稜線部に前記注入口が設けられていることを特徴とする補修剤注入用アタッチメント。
【請求項３】
請求項１または２に記載の補修剤注入用アタッチメントにおいて、
前記前面部には、前記注入口を囲むように、環状に連続した突条が設けられていることを特徴とする補修剤注入用アタッチメント。
【請求項４】
請求項１〜３のいずれかに記載の補修剤注入用アタッチメントにおいて、
前記接続口に、前記補修剤注入器具の前面位置部の注入孔の内周に嵌合する突筒部が設けられていることを特徴とする補修剤注入用アタッチメント。
【請求項５】
建築物における平坦な壁面に対向すべく形成された平坦壁用係合面を前面位置部に有すると共に、前記平坦壁用係合面に開口すべく貫通する注入孔を有する基盤部と、この基盤部の後面位置部に前記注入孔を覆うように設けられ、周縁部が前記基盤部に固定されることで、前記後面位置部との間に、前記注入孔に連通した膨張・収縮可能な貯留空間を形成する弾性シートと、前記貯留空間に逆止弁を介して補修剤を充填する補修剤導入路とを備え、前記平坦な壁面に生じた亀裂の中に前記注入孔を介して前記補修剤を注入すべく構成された補修剤注入器具と、
この補修剤注入器具の前記基盤部の前面位置部に前記後面部を接合すると共に、前記接続口を前面位置部の注入孔に液密的に接続する請求項１〜４のいずれかに記載の補修剤注入用アタッチメントと、
の組み合わせよりなることを特徴とする補修剤注入装置。
【請求項６】
建築物における複数の壁面の交差部に生じた亀裂の中に補修剤を注入するための補修剤注入装置であって、
前記交差部に対応した形状をなす前面部に、前記複数の壁面にそれぞれ対向する複数の係合面を形成し、後面部に設けた開口から前記前面部に向けて連通孔を形成し、その連通孔の先端を、前記係合面の交差する部分に、前記亀裂に対する補修剤の注入口として開口させた本体と、
この本体の後面部に前記開口を覆うように設けられ、周縁部が前記本体に固定されることで、前記後面部との間に、前記開口に連通した膨張・収縮可能な貯留空間を形成する弾性シートと、
前記貯留空間に逆止弁を介して補修剤を充填する補修剤導入路と、
を備えたことを特徴とする補修剤注入装置。
【請求項７】
請求項６に記載の補修剤注入装置において、
前記係合面が互いに略直交する関係で２面設けられており、その２つの係合面の交差する稜線部に前記注入口が設けられていることを特徴とする補修剤注入装置。
【請求項８】
請求項６または７に記載の補修剤注入装置において、
前記前面部には、前記注入口を囲むように、環状に連続した突条が設けられていることを特徴とする補修剤注入装置。
【発明の詳細な説明】
【技術分野】
【０００１】
本発明は、主にコンクリート構造物等の建築物のコーナー部分に生じた亀裂（ひび割れ）を補修する際に用いられる補修剤注入用アタッチメント及び補修剤注入装置に関する。
【背景技術】
【０００２】
例えばコンクリート構造物における壁面に生じた亀裂（ひび割れ）を補修する方法として、代表的なものに、弾性シートの弾力を利用して補修剤を亀裂の中に注入する方法が知られている。この補修方法に使用する注入器具は、一般的に、注入孔を有する台座（基盤部）と、台座の上面（後面位置部）に設けた弾性シートと、弾性シートの周縁部を台座に固定する固定リングと、を有し、台座に、先端部が当該台座と弾性シートとの間に開口する補修剤注入路を形成すると共に、この注入路に、逆止弁を内蔵した注入管を接続した構造をなしている（例えば、特許文献１参照）。
【０００３】
この構造の注入器具を用いて亀裂発生部分を補修する場合は、まず、注入器具の台座の下面（前面位置部）を亀裂発生壁面に接着する。次いで、注入管から補修剤を圧入して、弾性シートを膨脹させながら、補修剤を弾性シートと台座との間に充填する。弾性シートは補修剤の圧入により膨張するが、やがて復元力により元の状態に戻ろうとする。このため、補修剤は、台座に形成した注入孔からコンクリート構造物の亀裂の中に注入されていく。亀裂への補修剤の注入が終了したら、ヘラ等で補修剤注入器具を取り除いて作業を完了する。
【０００４】
【特許文献１】特開平９−３２３０８号公報
【発明の開示】
【発明が解決しようとする課題】
【０００５】
ところで、上述した従来の補修剤注入器具は、台座の下面が平坦な壁面に対向すべく平面状に形成されているので、そのような平坦な壁面に発生した亀裂に対しては対処できるものの、壁面と壁面が交差したコーナー部分の亀裂に対しては対処できなかった。
【０００６】
本発明は、上記事情を考慮し、（１）平坦な壁面を補修する通常の補修剤注入器具に装着することで、コーナー部分に生じた亀裂に対処できるようにした補修剤注入用アタッチメント、及び（２）そのアタッチメントと補修剤注入器具の組み合わせからなる補修剤注入装置、並びに（３）前記アタッチメントに相当する部分を一体に備えた補修剤注入装置を提供することを目的とする。
【課題を解決するための手段】
【０００７】
請求項１に記載の補修剤注入用アタッチメントは、建築物における複数の壁面の交差部に生じた亀裂の中に補修剤を注入するために、補修剤注入器具に装着される補修剤注入用アタッチメントであって、前記交差部に対応した形状をなす前面部に、前記複数の壁面にそれぞれ対向する複数の係合面を形成し、前記補修剤注入器具に接合される後面部に、補修剤注入器具の前面位置部の注入孔に液密的に接続される接続口を設け、その接続口から前記前面部に向けて連通孔を形成し、その連通孔の先端を、前記係合面の交差する部分に、前記亀裂に対する補修剤の注入口として開口させたことを特徴としている。
【０００８】
請求項２に記載の補修剤注入用アタッチメントは、請求項１に記載の補修剤注入用アタッチメントにおいて、前記係合面が互いに略直交する関係で２面設けられており、その２つの係合面の交差する稜線部に前記注入口が設けられていることを特徴としている。
【０００９】
請求項３に記載の補修剤注入用アタッチメントは、請求項１または２に記載の補修剤注入用アタッチメントにおいて、前記前面部には、前記注入口を囲むように、環状に連続した突条が設けられていることを特徴としている。
【００１０】
請求項４に記載の補修剤注入用アタッチメントは、請求項１〜３のいずれかに記載の補修剤注入用アタッチメントにおいて、前記接続口に、前記補修剤注入器具の前面位置部の注入孔の内周に嵌合する突筒部が設けられていることを特徴としている。
【００１１】
請求項５に記載の補修剤注入装置は、建築物における平坦な壁面に対向すべく形成された平坦壁用係合面を前面位置部に有すると共に、前記平坦壁用係合面に開口すべく貫通する注入孔を有する基盤部と、この基盤部の後面位置部に前記注入孔を覆うように設けられ、周縁部が前記基盤部に固定されることで、前記後面位置部との間に、前記注入孔に連通した膨張・収縮可能な貯留空間を形成する弾性シートと、前記貯留空間に逆止弁を介して補修剤を充填する補修剤導入路とを備え、前記平坦な壁面に生じた亀裂の中に前記注入孔を介して前記補修剤を注入すべく構成された補修剤注入器具と、この補修剤注入器具の前記基盤部の前面位置部に前記後面部を接合すると共に、前記接続口を前面位置部の注入孔に液密的に接続する請求項１〜４のいずれかに記載の補修剤注入用アタッチメントとの組み合わせよりなることを特徴としている。
【００１２】
請求項６に記載の補修剤注入装置は、建築物における複数の壁面の交差部に生じた亀裂の中に補修剤を注入するための補修剤注入装置であって、前記交差部に対応した形状をなす前面部に、前記複数の壁面にそれぞれ対向する複数の係合面を形成し、後面部に設けた開口から前記前面部に向けて連通孔を形成し、その連通孔の先端を、前記係合面の交差する部分に、前記亀裂に対する補修剤の注入口として開口させた本体と、この本体の後面部に前記開口を覆うように設けられ、周縁部が前記本体に固定されることで、前記後面部との間に、前記開口に連通した膨張・収縮可能な貯留空間を形成する弾性シートと、前記貯留空間に逆止弁を介して補修剤を充填する補修剤導入路とを備えたことを特徴としている。
【００１３】
請求項７に記載の補修剤注入装置は、請求項６に記載の補修剤注入装置において、前記係合面が互いに略直交する関係で２面設けられており、その２つの係合面の交差する稜線部に前記注入口が設けられていることを特徴としている。
【００１４】
請求項８に記載の補修剤注入装置は、請求項６または７に記載の補修剤注入装置において、前記前面部には、前記注入口を囲むように、環状に連続した突条が設けられていることを特徴としている。
【発明の効果】
【００１５】
請求項１に記載の補修剤注入用アタッチメントによれば、複数の壁面の交差部に対応した形状をなすように形成した前面部に、各壁面にそれぞれ当接可能な複数の係合面を設け、当該係合面の交差する部分に補修剤の注入口を設けているので、後面部に、例えば平坦な壁面を補修する通常の補修剤注入器具を接合することで、壁面の交差部に発生した亀裂の中に確実に補修剤を注入することができる。
【００１６】
請求項２に記載の補修剤注入用アタッチメントによれば、係合面を互いに略直交する関係で２面設け、その２つの係合面の交差する稜線部に注入口を設けているので、２つの壁面の交差するコーナー部、例えば垂直方向の壁の表面としての壁面同士が交差する部分や、垂直方向の壁の表面としての壁面と天井の表面としての壁面との交差部や、垂直方向の壁の表面としての壁面と床の表面としての壁面との交差部などに発生した亀裂の補修に有効に対処できる。
【００１７】
請求項３に記載の補修剤注入用アタッチメントによれば、注入口を囲むように環状に連続した突条を設けているので、例えば係合面を壁面に接着する接着剤が注入口側にはみ出すのを防止することができると共に、注入口から亀裂に供給された補修剤が係合面と壁面との間から外に漏れるのを防止することができる。
【００１８】
請求項４に記載の補修剤注入用アタッチメントによれば、接続口に、補修剤注入器具の前面位置部の注入孔の内周に嵌合する突筒部を設けているので、補修剤注入器具の注入孔と接続口とをより液密に接続することができ、補修剤が補修剤注入器具との接合部である後面部から外部に漏れるのを防止することができる。
【００１９】
請求項５に記載の補修剤注入装置によれば、平坦な壁面用の補修剤注入器具に、上述したコーナー部用の補修剤注入用アタッチメントを組み合わせたもので構成しているので、
上記補修剤注入器具に、当該補修剤注入器具より構造が簡単で安価な補修剤注入用アタッチメントを組み付けるだけで、コーナー部の亀裂の補修にも容易に対処することができるという利点がある。
【００２０】
請求項６に記載の補修剤注入装置によれば、複数の壁面の交差部に対応した形状をなすように形成した前面部に、各壁面にそれぞれ対向する複数の係合面を設け、係合面の交差する部分に補修剤の注入口を設け、後面部側に弾性シートを設けているので、平坦な壁面を補修する通常の補修剤注入器具と同じように、例えば、コンクリート構造物のコーナー部に発生した亀裂の中に確実に補修剤を注入することができる。
【００２１】
また、請求項７及び請求項８に記載の補修剤注入装置によれば、それぞれ請求項２及び請求項３の発明と同様の効果を奏することができる。
【発明を実施するための最良の形態】
【００２２】
以下、本発明の実施形態を図面を参照して説明する。
図１は実施形態の補修剤注入用アタッチメントＡと、平坦な壁面用の補修剤注入器具Ｂとを組み合わせて構成した補修剤注入装置Ｍの外観図で、（ａ）はアタッチメントＡ側から見た斜視図、（ｂ）はコンクリート構造物１のコーナー部（２つの壁面２、３の交差部）に生じた亀裂５に補修剤を注入しようとセットした状態を示す側面図である。図２は補修剤注入装置Ｍの外観を示す三面図、図３は内部構造を示す断面図、図４はアタッチメントＡだけの構成を示す図である。
【００２３】
まず、図３を主に参照しながら補修剤注入器具Ｂについて説明する。
この補修剤注入器具Ｂは、コンクリート構造物の平坦な壁面を補修するために構成されたものであり、下面（前面位置部）に平坦な壁面に対向する平坦壁用係合面を有する基盤部１１と、基盤部１１の上面（後面位置部）を覆うように配された弾性シート１２と、弾性シート１２を基盤部１１に固定する固定リング１３とで構成されている。
【００２４】
固定リング１３には、頂部に開口１４ａを有するドーム形のカバー１４が一体化されている。ドーム形のカバー１４を設けるのは、主として弾性シート１２が膨張した時の保護用である。また、カバー１４の頂部に開口１４ａを設けるのは、弾性シート１２が膨張する時の空気抜き用、及び補修剤が過不足なく充填されているかをチェックするための弾性シート１２の頂部位置確認用である。なお、基盤部１１及び固定リング１３（カバー１４を含む）は樹脂の成形品よりなり、弾性シート１２はゴム、合成ゴム等の弾性材の成形品よりなる。
【００２５】
基盤部１１は、円板部１１ａと、この円板部１１ａから半径方向の外方に突出する張出部１１ｂを有し、下面と上面が互いに平行な平面として構成されている。円板部１１ａの中心には、上面から下面まで貫通する円形の補修剤注入孔（注入孔）１５が形成されており、円板部１１ａの下面には、注入孔１５の周縁に沿った環状の突条部１６が設けられている。
【００２６】
弾性シート１２は、基盤部１１の上面に注入孔１５を覆うように設けられており、その周縁部が固定リング１３と基盤部１１との間に挟持固定されることにより、自身の下面側に、注入孔１５に連通した膨張・収縮可能な貯留空間１６を確保している。図３は、貯留空間１６が膨張していないときの状態を示している。なお、固定リング１３は、基盤部１１に嵌合固定されることで、弾性シート１２の周縁部を液密的に強固に固定している。
【００２７】
固定リング１３には基盤部１１の張出部１１ｂに対応した張出部１３ａが設けられており、この張出部１３ａには、逆止弁１７を内蔵したパイプ状の補修剤導入部１８が設けられている。基盤部１１には、補修剤導入部１８内の通路に連通する連通路１９が設けられており、この連通路１９の先端が弾性シート１２の下面に確保された貯留空間１６に繋がっている。そして、固定リング１３の補修剤導入部１８内の通路と、基盤部１１内の連通路１９によって、貯留空間１６に逆止弁１７を介して補修剤を導入する補修剤導入路２０が構成されている。
【００２８】
逆止弁１７は、補修剤が補修剤導入路２０を介して貯留空間１６に流入するのを許容し、当該補修剤が貯留空間１６から補修剤導入路２０を介して外部に流出するのを阻止するようになっている。
【００２９】
次に、図１〜図４を参照して、補修剤注入用アタッチメントＡについて説明する。
このアタッチメントＡは、図１（ｂ）に示すように、コンクリート構造物１の複数（この実施形態では２つ）の壁面２、３の交差部に生じた亀裂５の中に補修剤を注入するために補修剤注入器具Ｂの下面の部分に装着されるものであり、樹脂成形によるブロック状の一体品よりなる。但し、不要部は適当に肉抜きしてある。
【００３０】
このアタッチメントＡは、正面から見ると略円形状をなすが側面から見ると三角形状をなす前面部３１と、補修剤注入器具Ｂの基盤部１１の下面に接着剤にて接合される外観略円盤状の後面部３２とを備えている。前面部３１を側面視三角形状にしたのは、壁面２と壁面３の交差部に対応させるためである。この前面部３１には、前記各壁面２、３にそれぞれ対向する２枚の係合面３３、３４が形成されており、それら係合面３３、３４の交差する稜線部３５が、ちょうどコーナー部（壁面２と壁面３の交差部）の最深部に対応する位置となるようになっている。
【００３１】
一方、後面部３２は、補修剤注入器具Ｂの基盤部１１の外周に嵌合するための嵌合壁３６を有しており、外周輪郭が基盤部１１に対応した形状をなしている。後面部３２の端面は、基盤部１１の下面に対する接合面となる箇所であるが、必要箇所以外は肉抜きされている。図４（ａ）に示すように、十字のリブ４２と中心円柱部４３を残すように、肉抜き部４１が設けられている。
【００３２】
このアタッチメントＡには、前記中心円柱部４３に位置させて、後面部３２から前面部３１の先端まで貫通する連通孔３７が形成されている。この連通孔３７の後端は、補修剤注入器具Ｂの基盤部１１の注入孔１５に液密的に接続される接続口３７ｂとして開口し、先端は、前面部３１の先端の稜線部３５に、亀裂５に対する補修剤の注入口３７ａとして開口している。接続口３７ｂは円孔状とされ、注入口３７ａは稜線部３５に沿った長孔状とされている。そして、この注入口３７ａを囲むように、稜線部３５から両側の係合面３３、３４にかけての範囲に、環状に連続した突条４０が設けられている。また、接続口３７ｂの周縁には、補修剤注入器具Ｂの注入孔１５の内周に嵌合する突筒部３８が設けられ、その外周側には補修剤注入器具Ｂの注入孔１５の周縁の突条部１６の嵌まる環状溝３９が形成されている。
【００３３】
次に作用を説明する。
コンクリート構造物のコーナー部に発生した亀裂を補修する場合には、まず、補修剤注入器具Ｂの前部の基盤部１１の下面に、アタッチメントＡの後面部３２の端面を接着剤にて接着し、一体化した補修剤注入装置Ｍを組み立てる。次いで、図１（ｂ）に示すように、アタッチメントＡの前面部３１を亀裂発生箇所のコーナー部に嵌め、係合面３３、３４における突条４０の外側の部分に付着させた接着剤によって、当該係合面３３、３４を各壁面２、３に接着して固定する。
【００３４】
その後、補修剤注入器具Ｂの補修剤導入部１８から補修剤導入路２０を通じて補修剤を圧入し、弾性シート１２を膨張させながら、貯留空間１６及び注入孔１５、連通孔３７などに補修剤を充填する。弾性シート１２は補修剤の圧入により膨張すると共に、元の状態に戻ろうとする復元力が発生するため、補修剤は、注入孔１５、連通孔３７を通り、アタッチメントＡの稜線部３５に開口する注入口３７ａから、コンクリート構造物１の亀裂５の中に注入されていく。亀裂５への補修剤の注入が終了したら、補修剤注入装置Ｍを壁面２、３からヘラ等で取り除くことによって、補修作業が完了する。
【００３５】
このようにアタッチメントＡを取り付けることで、平坦な壁面用の補修剤注入器具Ｂを用いて、コンクリート構造物１のコーナー部に発生した亀裂５の中に確実に補修剤を注入することができる。この場合、係合面３３、３４を互いに略直交する関係で２面設け、その２つの係合面３３、３４の交差する稜線部３５に補修剤の注入口３７ａを設けているので、２つの壁面２、３の交差するコーナー部、例えば、壁と天井の交差部、あるいは、壁と床の交差部などに発生した亀裂に有効に対処できる。
【００３６】
また、注入口３７ａを囲むように突条４０を設けているので、係合面３３、３４と壁面２、３との間の密着度が低い場合でも、突条４０が仕切りの役割をなすことで、補修剤の漏れ防止を図ることができる。また、突条４０が、係合面３３、３４を接着する際の接着剤の注入口３７ａ側へのはみ出しを防止する役割も果たす。また、補修剤注入器具Ｂ側の接続口３７ａに突筒部３８を設けているので、補修剤注入器具Ｂの注入孔１５とアタッチメントＡ側の連通孔３７の接続をより確実なものとすることができ、補修剤の漏れ防止を図ることができる。
【００３７】
以上においては、コーナー部の亀裂を補修する場合について説明したが、平坦な壁面に発生した亀裂を補修する場合には、アタッチメントＡを付けない状態で、補修剤注入器具Ｂを単体で使用する。その場合は、基盤部１１の下面を壁面に接着して、同様の手順で亀裂に補修剤を注入する。
【００３８】
このように前記補修剤注入装置Ｍは、平坦な壁面用の補修剤注入器具Ｂと、コーナー部用のアタッチメントＡとを組み合わせたので、どちらの場合にも対処できる。
【００３９】
なお、最初からコーナー部専用の補修剤注入装置として特化することもできる。その場合は、前記のようにアタッチメントＡと補修剤注入器具Ｂとに分けないで、一体化しておけばよい。即ち、交差部に対応した形状をなす前面部３１に各壁面２、３にそれぞれ対向する複数の係合面３３、３４を形成し、後面部３２に設けた開口（注入孔１５に相当する部分）から前面部に向けて連通孔３７を形成し、その連通孔３７の先端を、係合面３３、３４の交差する部分（稜線部３５）に、亀裂に対する補修剤の注入口３７ａとして開口させた本体と、この本体の後面部に前記開口を覆うように設けられ、周縁部が前記本体に固定されることで、自身の前記本体側に、前記開口に連通した膨張・収縮可能な貯留空間１６を形成する弾性シート１２と、貯留空間１６に逆止弁１７を介して補修剤を充填する補修剤導入路２０とで、補修剤注入装置を構成すればよい。
【００４０】
また、上記実施形態では、２つの壁面の交差する部分を補修する装置について説明したが、３つの壁面の交差部（隅部）を補修する装置にも本発明は適用できる。その場合は、前面部に各壁面にそれぞれ対向する３つの係合面を形成し、それら係合面の交わる頂点部分に注入口を開口させればよい。
【図面の簡単な説明】
【００４１】
【図１】本発明の実施形態の補修剤注入用アタッチメントＡと、平坦な壁面用の補修剤注入器具Ｂとを組み合わせた補修剤注入装置Ｍの外観図で、（ａ）はアタッチメント側から見た斜視図、（ｂ）はコンクリート構造物のコーナー部に生じた亀裂に補修剤を注入しようとセットした状態を示す側面図である。
【図２】前記補修剤注入装置Ｍの外観を示す３面図であり、（ａ）は平面図、（ｂ）は（ａ）のＩＩｂ矢視図、（ｃ）は（ａ）のＩＩｃ矢視図である。
【図３】図２（ａ）のＩＩＩ−ＩＩＩ矢視断面図である。
【図４】前記アタッチメントＡだけの構成を示す図で、（ａ）は平面図、（ｂ）は側面図、（ｃ）は（ａ）のＩＶｃ−ＩＶｃ矢視断面図、（ｄ）は（ｂ）のＩＶｄ−ＩＶｄ矢視断面図である。
【符号の説明】
【００４２】
１  コンクリート構造物
２，３  壁面
５  亀裂
Ａ  アタッチメント
Ｂ  補修剤注入器具
Ｍ  補修剤注入装置
１１  基盤部
１２  弾性シート
１３  固定リング
１５  注入孔
１６  貯留空間
１７  逆止弁
２０  補修剤導入路
３１  前面部
３２  後面部
３３，３４  係合面
３５  稜線部
３７  連通孔
３７ａ  注入口
３７ｂ  接続口
３８  突筒部
４０  突条
【図１】
2005200878.tif 000003
【図２】
2005200878.tif 000004
【図３】
2005200878.tif 000005
【図４】
2005200878.tif 000006